(57)【要約】【課題】使用中の位置ずれを抑制しつつ、肌に与える刺激を低下することができる糞便失禁用の吸収性物品を提供する。【解決手段】糞便失禁用の吸収性物品１０は、使用者の下半身に装着される着用物品Ｓに取り付けられる。糞便失禁用の吸収性物品１０は、使用時に使用者の肛門に対向し、着用物品Ｓのクロッチの最狭位置よりも後方に配置される本体部２０を有する。本体部２０は、使用者の肌に面する表面と、当該表面とは反対側の裏面と、本体部２０の裏面に設けられた粘着材４２と、本体部２０の一端から他端まで延びる折れ跡ＦＬと、を有する。折れ跡ＦＬは、表面から見て谷折りに形成されている。【選択図】図２
2018183446.tif 000002
【特許請求の範囲】
【請求項１】
使用者の下半身に装着される着用物品に取り付けられる糞便失禁用の吸収性物品であって、
使用時に使用者の肛門に対向し、前記着用物品のクロッチの最狭位置よりも後方に配置される本体部を有し、
前記本体部は、
使用者の肌に面する表面と、
前記表面とは反対側の裏面と、
前記本体部の前記裏面に設けられた粘着材と、
前記本体部の一端から他端まで延びる折れ跡と、
を有し、
前記折れ跡は、前記表面から見て谷折りに形成されている、糞便失禁用の吸収性物品。
【請求項２】
前記折れ跡が延びている方向と交差する交差方向に前記本体部を収縮させる弾性部材を有し、
前記弾性部材は、前記折れ跡を跨がって前記交差方向に延びている、請求項１に記載の糞便失禁用の吸収性物品。
【請求項３】
前記折れ跡は、前記折れ跡が延びている方向と交差する交差方向における前記本体部の中心よりも一方側にずれている、請求項１又は２に記載の糞便失禁用の吸収性物品。
【請求項４】
前記粘着材は、少なくとも前記折れ跡と重なる領域に配置されている、請求項１から３のいずれか１項に記載の糞便失禁用の吸収性物品。
【請求項５】
前記粘着材は、所定方向に延びており、
前記所定方向の一端部における前記粘着材の量は、前記所定方向の他端部における前記粘着材の量よりも少ない、請求項１から４のいずれか１項に記載の糞便失禁用の吸収性物品。
【請求項６】
使用時に前記折れ跡は使用者の臀裂が延びる方向に沿う前後方向と交差する幅方向に沿って配置され、
前記折れ跡が延びている方向に沿った前記本体部の長さは、前記折れ跡よりも前側に向かうにつれて単調に減少する、請求項１から５のいずれか１項に記載の糞便失禁用の吸収性物品。
【発明の詳細な説明】
【技術分野】
【０００１】
本発明は、糞便失禁用の吸収性物品、特に軽度の糞便失禁に適合された吸収性物品に関する。
【背景技術】
【０００２】
肛門筋の機能低下により、無意識又は意思に反し少量の柔らかい糞便が排泄されてしまうことがある。この少量の柔らかい糞便は、多くの水分を含む。このような糞便失禁に対処するため、糞便失禁用の吸収性物品が知られている（特許文献１）。
【０００３】
特許文献１は、便失禁としても知られている偶発的腸管漏出（ａｃｃｉｄｅｎｔａｌ  ｂｏｗｅｌ  ｌｅａｋａｇｅ：ＡＢＬ）を処置するためのデバイスを開示する。この便失禁を処置するためのデバイスは、偶発的肛門排出物を吸収して保持する本体ライナを有する。本体ライナは、身体対面表面と、身体対面表面と反対側の後表面と、を有する実質的に平坦なシートによって構成されている。また、本体ライナは、本体ライナの身体対面表面上に接着領域を備えている。
【０００４】
この本体ライナは、使用時に、臀裂（臀部の亀裂）に沿って折り畳まれ、臀裂の中に配置される（例えば特許文献１の図１Ｆも参照）。このとき、本体ライナの身体対面表面が使用者の肌（臀部）に密着する。本体ライナの身体対面表面上に設けられた接着領域は、本体ライナを使用者の肌に密着させる。
【先行技術文献】
【特許文献】
【０００５】
【特許文献１】特表２０１５−５１３３０２号公報
【発明の概要】
【発明が解決しようとする課題】
【０００６】
特許文献１に記載されたデバイスについて、本願の発明者は、以下のような課題を発見した。すなわち、本体ライナが、臀裂の中に配置され、かつ使用者の肌（臀部）に肌に密着していると、使用者の動きや放屁によって本体ライナ（デバイス）が位置ズレしたり吹き飛んだりすることがある。
【０００７】
また、接着領域が使用者の肌に接するため、使用者の心地を低下させることもある。特に、本体ライナの接着領域が糞便で汚染されると、接着材と糞便の両方刺激によって使用者の肌に刺激を与えてしまうことがある。
【０００８】
したがって、使用中の位置ずれを抑制しつつ、肌に与える刺激を低下することができる糞便失禁用の吸収性物品が望まれる。
【課題を解決するための手段】
【０００９】
一態様に係る糞便失禁用の吸収性物品は、使用者の下半身に装着される着用物品に取り付けられる。糞便失禁用の吸収性物品は、使用時に使用者の肛門に対向し、前記着用物品のクロッチの最狭位置よりも後方に配置される本体部を有し、前記本体部は、使用者の肌に面する表面と、前記表面とは反対側の裏面と、前記本体部の前記裏面に設けられた粘着材と、前記本体部の一端から他端まで延びる折れ跡と、を有し、前記折れ跡は、前記表面から見て谷折りに形成されている。
【図面の簡単な説明】
【００１０】
【図１】一実施形態に係る糞便失禁用の吸収性物品の斜視図である。
【図２】使用者の肌に面する表面とは反対側から見た吸収性物品の平面図である。
【図３】図２のＱ−Ｑ線に沿った吸収性物品の断面図である。
【図４】図２のＰ−Ｐ線に沿った吸収性物品の断面図である。
【図５】個包装シートを開いた状態の吸収性物品の平面図である。
【図６】個包装シートを閉じた状態の吸収性物品の平面図である。
【図７】糞便失禁用の吸収性物品をショーツに取り付けた状態を示す図である。
【図８】糞便失禁用の吸収性物品が取り付けられたショーツを装着した使用者の背面図である。
【発明を実施するための形態】
【００１１】
（１）実施形態の概要
本明細書及び添付図面の記載により、少なくとも以下の事項が明らかとなる。
【００１２】
一態様に係る糞便失禁用の吸収性物品は、使用者の下半身に装着される着用物品に取り付けられる糞便失禁用の吸収性物品であって、使用時に使用者の肛門に対向し、前記着用物品のクロッチの最狭位置よりも後方に配置される本体部を有し、前記本体部は、使用者の肌に面する表面と、前記表面とは反対側の裏面と、前記本体部の前記裏面に設けられた粘着材と、前記本体部の一端から他端まで延びる折れ跡と、を有し、前記折れ跡は、前記表面から見て谷折りに形成されている。
【００１３】
本態様に係る糞便失禁用の吸収性物品は、使用時に本体部が使用者の肛門に対向するように配置される。この際に、吸収性物品は、本体部の裏面に設けられた粘着材によって、下着のような使用者に装着される着用物品に取り付けることができる。したがって、本体部の表面（使用者の肌に面する面）に粘着材を設ける必要がないため、着用者の肌に与える刺激を低下することができる。
【００１４】
糞便失禁用の吸収性物品の使用後には、使用者は、谷折りに形成された折れ跡を基点に本体部を折り畳むことができる。これにより、本体部に付着した糞便、すなわち肛門から排出される多量の水分を含む糞便は本体部の内側に隠される。したがって、吸収性物品の廃棄時に糞便が手に付着することを抑制することができる。
【００１５】
また、本体部の表面は、使用時に使用者の肌に接する。この際に、本態様に係る糞便失禁用の吸収性物品は、本体部の折れ跡が肛門に対向するように配置される。この折れ跡は、本体部の表面から見て谷折りに形成されている。本体部の表面は、使用者の肌側に向けられる面であるので、本体部は、折れ跡のところで、使用者の肌から離れる方向に曲がる。すなわち、折れ跡のところで使用者の肌と本体部との間に隙間が生じる。この折れ跡は本体部の一端から他端まで延びているので、使用者の肌と本体部との間の隙間は本体部の一端から他端まで延びることになる。この状態で使用者が放屁すると、屁は、使用者の肌と本体部との間の隙間を通って本体部の外側へ抜ける。このように、屁のような空気の逃げ道が形成されるため、使用者の放屁によって糞便失禁用の吸収性物品が位置ズレしたり吹き飛んだりすることを抑制することができる。
【００１６】
好ましい一態様によれば、糞便失禁用の吸収性物品は、前記折れ跡が延びている方向と交差する交差方向に前記本体部を収縮させる弾性部材を有し、前記弾性部材は、前記折れ跡を跨がって前記交差方向に延びている。
【００１７】
折れ跡を跨がる弾性部材により交差方向に本体部を収縮させることによって、本体部は、使用時に折れ跡を基点に曲がった状態になり易い。これにより、使用者の肌と本体部との間の空気の逃げ道がよりしっかりと形成される。したがって、使用者の放屁によって糞便失禁用の吸収性物品が位置ズレしたり吹き飛んだりすることをより抑制することができる。
【００１８】
好ましい一態様によれば、前記折れ跡は、前記折れ跡が延びている方向と交差する交差方向における前記本体部の中心よりも一方側にずれている。
【００１９】
前述したように、本態様に係る糞便失禁用の吸収性物品は、本体部の折れ跡が肛門に対向するように配置される。したがって、糞便は、本体部の折れ跡とその周りに付着する。この折れ跡は交差方向における本体部の中心よりも一方側にずれているため、折れ跡よりも遠い方の本体部の端部には、糞便が付着し難い。したがって、使用者は、糞便が付着した箇所よりもより遠くに位置する方の端部、すなわちより清潔な方の端部を摘まんで、吸収性物品を着用物品から取り外すことができる。
【００２０】
また、糞便失禁用の吸収性物品を着用物品から取り外した後に、使用者は、糞便を覆い隠すように折れ跡を基点に吸収性物品を容易に折り畳むことができる。この際、折れ跡から遠い方の吸収性物品の端部を手で摘まんだ状態で吸収性物品を折り畳むと、折れ跡から近い方の吸収性物品の端部の表面が、折れ跡から遠い方の端部を摘まむ手に当たり難い。このように、使用者は、なるべく糞便に触らないようにしつつ吸収性物品を廃棄することができる。
【００２１】
ここで、使用者は、洋式の便座のような台に座った状態で吸収性物品を着用物品から取りはずすことが多い。この場合、着用物品を腰回りから足下付近まで降ろした状態にすると、着用物品のクロッチ（股下部分）が水平方向に広がった状態になり易い。そのため、使用者は、着用物品のクロッチをより視認し易い。本態様に係る糞便失禁用の吸収性物品では、折れ跡よりも前側の領域が着用物品のクロッチ又はクロッチに近い位置に配置される。したがって、使用者は、吸収性物品を着用物品から取り外す際に、本体部の前側の端部の方を掴み易い。このような事情を考慮すると、使用時に折れ跡が使用者の臀裂が延びる方向に沿う前後方向と交差する幅方向に沿って配置される場合には、折れ跡は、前後方向における本体部の中心よりも後側に位置することが好ましい。
【００２２】
好ましい一態様によれば、前記粘着材は、少なくとも前記折れ跡と重なる領域に配置されている。
【００２３】
粘着材が折れ跡と重なる領域に配置されているため、本体部の、折れ跡が配置された領域の剛性が高くなる。これにより、本体部に折れ跡をしっかりと付けることができ、使用者の肌と本体部との間の空気の逃げ道がよりしっかりと形成される。したがって、使用者の放屁によって糞便失禁用の吸収性物品が位置ズレしたり吹き飛んだりすることをより抑制することができる。
【００２４】
好ましい一態様によれば、前記粘着材は、所定方向に延びており、前記所定方向の一端部における前記粘着材の量は、前記所定方向の他端部における前記粘着材の量よりも少ない。
【００２５】
粘着材の量が少ない方の端部は、着用物品に対する粘着力が低くなる。したがって、吸収性物品を着用物品から取り外す際に、粘着材の量が少ない方の端部から粘着材の量が多い方の端部に向かって本体部を着用物品から剥がすことによって、容易に本体部を取り外すことができる。
【００２６】
好ましい一態様によれば、使用時に前記折れ跡は使用者の臀裂が延びる方向に沿う前後方向と交差する幅方向に沿って配置され、前記折れ跡が延びている方向に沿った前記本体部の長さは、前記折れ跡よりも前側に向かうにつれて単調に減少する。
【００２７】
下着のような着用物品は、肛門に対向する領域からクロッチ（股下）に向かうにつれて狭くなる幅を有する。ここで、本態様に係る糞便失禁用の吸収性物品は、本体部の折れ跡が肛門に対向するように配置される。折れ跡が延びている方向に沿った本体部の長さが折れ跡よりも前側に向かうにつれて単調に減少する。すなわち、本体部は、折れ跡を基点に下着のような着用物品のクロッチに向かうにつれて狭くなる幅を有する。したがって、糞便失禁用の吸収性物品が下着のような着用物品からはみ出さないようにすることができる。
【００２８】
（２）吸収性物品の構成
以下、図面を参照して、一実施形態について説明する。なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００２９】
本発明は、糞便失禁用の吸収性物品に関する。ここで糞便失禁は、一例として以下の４つに分類することができる。
１．腹圧性便失禁
腹部に力が入ったときに少量の柔らかい便が肛門から漏れ出る。
２．切迫性便失禁
急激に便意を催すことにより、排便を我慢できずに、便が漏れてしまう（下痢）。
３．溢流性便失禁
便が溜まっていることにより、便があふれ出る。
４．機能性便失禁
トイレの場所がわからなかったりトイレまで歩行できなかったりといったように、排便動作に関する判断や動作が困難で便が漏れる。
【００３０】
本発明は、特に上記の４分類のうちの腹圧性便失禁に適合された吸収性物品に関する。すなわち、この糞便失禁用の吸収性物品は、使用者の肛門から排出される多くの水分を含む少量の柔らかい糞便、例えば５ｃｃ未満の糞便に適合されている。
【００３１】
図１は、一実施形態に係る糞便失禁用の吸収性物品の斜視図である。図２は、使用者の肌に面する表面とは反対側から見た吸収性物品の平面図である。図３は、図２のＱ−Ｑ線に沿った吸収性物品の断面図である。図４は、図２のＰ−Ｐ線に沿った吸収性物品の断面図である。図５は、吸収性物品を包む個包装シートを開いた状態の平面図である。図６は、個包装シートを閉じた状態の吸収性物品の平面図である。図７は、糞便失禁用の吸収性物品を使用者が装着する着用物品に取り付けた状態を示す図である。図８は、糞便失禁用の吸収性物品が取り付けられた着用物品を装着した使用者の背面図である。
【００３２】
本実施形態に係る糞便失禁用の吸収性物品１０は、使用者の下半身に装着される着用物品Ｓに取り付けられる（図５及び図６も参照）。ここで、使用者が装着する着用物品Ｓは、例えばショーツのような下着であってよい。この代わりに、使用者が装着する着用物品は、使用者によって装着可能な使い捨ておむつであってもよい。
【００３３】
糞便失禁用の吸収性物品１０は、使用時に使用者の臀裂が延びる方向に沿う前後方向Ｌと、前後方向Ｌに直交する幅方向Ｗと、厚み方向と、を有する。
【００３４】
糞便失禁用の吸収性物品１０は、使用時に使用者の肛門に対向する本体部２０を有する。本体部２０は、使用者の肌に面する表面と、当該表面とは反対側の裏面と、を有する。本体部２０は、使用時に着用物品Ｓのクロッチの最狭位置よりも後方に配置される（図５及び図６参照）。
【００３５】
本体部２０は、本体部２０の裏面に設けられた粘着材４２を有する。粘着材４２は、吸収体３０と厚み方向に重なる領域に設けられていてよい。粘着材４２は、使用時に吸収性物品１０を、使用者が装着する着用物品Ｓに固定するために設けられている。粘着材４２は、前後方向Ｌにおける本体部２０の中心を通る中心線Ｑに関して対称に配置されていてもよく、幅方向Ｗにおける本体部２０の中心を通る中心線Ｐに関して対称に配置されていてもよい。
【００３６】
本体部２０は、表面側の表面シート２６と、裏面側の裏面シート２７と、表面シート２６と裏面シート２７との間の吸収体３０と、を備えていてよい。また、裏面シート２７と吸収体３０との間に、防漏シート２８が設けられていてもよい。防漏シート２８は、液不透過性のシートから構成されていてよい。液不透過性のシートとしては、例えば液不透過性フィルムや疎水性の不織布等を挙げることができる。
【００３７】
表面シート２６は透液性のシートから構成されていてよい。例えば、表面シート２６は、不織布、多孔性プラスチックフィルム又はそれらを積層したラミネートシートから形成することができる。表面シート２６は、吸収体３０よりも外側で例えば接着剤５２によって裏面シート２７に接合されていてよい。
【００３８】
吸収体３０は、吸収性コア３１と、コアラップシート３２と、を含んでいてよい。吸収性コア３１は、例えば、木材パルプや超吸収性ポリマー粒子（ＳＡＰ）の混合物によって構成することができる。コアラップシート３２は、吸収性コア３１を包被する。コアラップシート３２は、ティッシュペーパ又は不織布から形成されていてよい。
【００３９】
裏面シート２７は、防漏シート２８よりも幅方向Ｗにおける寸法が大きくてもよい。裏面シート２７は、裏面シート２７の、防漏シート２８の両側縁から幅方向Ｗの外側へ延出する部分が、内方へ折り曲げられることによって形成された一対の折曲部２７ａを有していてよい。この一対の折曲部２７ａに、弾性部材５１が設けられていてよい。弾性部材５１は、例えば、１本又は複数本の弾性糸によって形成することができる。
【００４０】
弾性部材５１は、伸張された状態で裏面シート２７に取り付けられていてよい。弾性部材５１の収縮作用により、本体部２０に複数のギャザーが形成されてもよい。
【００４１】
粘着材４２は、吸収性物品１０の使用前には、セパレータ７０によって被覆されている。セパレータ７０は、粘着材４２の粘着力の劣化を防止し、粘着材４２から容易に剥離可能に構成されている。セパレータ７０は、使用時には本体部２０から外される。なお、図２は、セパレータ７０が剥離された状態の吸収性物品１０を示している。
【００４２】
本実施形態に係る糞便失禁用の吸収性物品１０は、使用時に本体部２０が使用者の肛門に対向するように配置される（図８参照）。この際に、吸収性物品１０は、本体部２０の裏面に設けられた粘着材４２によって、下着のような使用者に装着される着用物品Ｓに取り付けることができる。したがって、本体部２０の表面（使用者の肌に面する面）に粘着材４２を設ける必要がないため、着用者の肌に与える刺激を低下することができる。
【００４３】
さらに、本体部２０は、本体部２０の一端から他端まで延びる折れ跡ＦＬを有する。本実施形態では、折れ跡ＦＬは、幅方向Ｗにおける本体部２０の一端２３から他端２４まで延びている。この折れ跡ＦＬは、表面側から見て谷折りに形成されている。すなわち、折れ跡ＦＬは、表面シート２６同士を近づける方向に本体部２０を曲げる折り癖となっている。これにより、本体部２０の折れ跡ＦＬの部分は、使用時に、使用者の肌側から見て肌から離れるように凹む。
【００４４】
折れ跡ＦＬは、包装中に吸収性物品１０を折り畳むための折り線によって形成されていてよい。具体的一例として、包装中に、吸収性物品１０は、個包装シート２００によって包まれていてよい（図６参照）。個包装シート２００は、展開された状態において、セパレータ７０が取り付けられた吸収性物品１０の裏面側に配置されている。
【００４５】
図５に示す例では、個包装シート２００の一端２００ａは、吸収性物品１０の前側の端部２１よりも前側へ延びている。一方、個包装シート２００の他端２００ｂは、吸収性物品１０の後側の端部２２まで延びていない。
【００４６】
吸収性物品１０及び個包装シート２００は、吸収性物品１０が個包装シート２００の内側に配置されるように、折れ跡ＦＬ（第１折り線）を基点に折られる。この際に、吸収性物品１０は、表面シート２６同士が向かい合うように折られる。この後、個包装シート２００のみを通る第２折り線ＦＬ２で個包装シート２００をさらに折ることによって、図６に示すように、吸収性物品１０が個包装シート２００によって包まれた状態になる。この状態で、幅方向Ｗにおける個包装シート２００の両側（両側辺）を例えば熱圧着により封止し、封止部２０２を形成してもよい。
【００４７】
軽度の糞便失禁（腹圧性便失禁）に適合された吸収性物品の場合、使用者は、吸収性物品を装着していることを他人に気づかれないことを好む。そのため、本体部２０のサイズは、糞便の漏れを防止できる限り、なるべく小さいことが好ましい。前後方向Ｌにおける本体部２０の長さは、１００ｍｍ〜１４０ｍｍ程度であってよい。前後方向Ｌにおける本体部２０の長さを１００ｍｍ以上とすることで、水分を含む糞便が本体部２０の前後方向Ｌの縁から外側へ漏れてしまうことを抑制することができる。また、前後方向Ｌにおける本体部２０の長さを１４０ｍｍ以下とすることで、本体部２０を臀裂の範囲内に配置することができ、これによって使用者へ与える着用の違和感を軽減することができる。
【００４８】
幅方向Ｗにおける本体部２０の長さは、９０ｍｍ〜１３０ｍｍ程度であってよい。幅方向Ｗにおける本体部２０の長さを９０ｍｍ以上とすることで、水分を含む糞便が本体部２０の幅方向Ｗの縁から外側へ漏れてしまうことを抑制することができる。幅方向Ｗにおける本体部２０の長さを１３０ｍｍ以下とすることで、本体部２０が着用物品からはみ出すことなく使用者の肛門に対向する位置に本体部２０を配置させることができる。具体的には、幅方向Ｗにおける本体部２０の長さが１３０ｍｍを超えると、使用者は、着用物品からはみ出さないように本体部２０を配置しようとする結果、着用物品の幅が広い領域、すなわち本体部２０が本来取り付けられる位置（肛門に対向する位置）よりも上方の領域に本体部２０を取り付けてしまうことがある。幅方向Ｗにおける本体部２０の長さを１３０ｍｍ以下とすることで、本体部２０をより適切な位置に設置し易くすることができる。
【００４９】
本体部２０の厚みは、２ｍｍ〜５ｍｍ程度であってよい。本体部２０の厚みが薄すぎると、使用者の動作により本体部２０と肌が擦れ、その結果吸収性物品１０の位置がずれてしまうことがある。本体部２０の厚みを２ｍｍ以上とすることで、使用者の動作に伴う本体部２０の位置ずれを抑制することができる。また、本体部２０の厚みを５ｍｍ以下とすることで、吸収性物品が装着されていることを目立たなくすることができる。
【００５０】
本実施形態では、本体部２０は、表面から見て概ね円形状となっている（図２参照）。この代わりに、本体部２０は、表面から見て概ね三角形状であってもよい。
【００５１】
使用時に折れ跡ＦＬが幅方向Ｗに沿って配置される場合、折れ跡ＦＬが延びている方向に沿った本体部２０の長さは、折れ跡ＦＬよりも前側に向かうにつれて単調に減少することが好ましい。ここで、「単調に減少」とは、前側に向かうにつれて増加する箇所がないことを意味する。したがって、前側に向かうにつれて幅が一定の領域が存在していてもよい。
【００５２】
下着のような着用物品Ｓは、肛門に対向する領域からクロッチ（股下）に向かうにつれて狭くなる幅を有する。ここで、本態様に係る糞便失禁用の吸収性物品１０は、本体部２０の折れ跡ＦＬが肛門に対向するように配置される。折れ跡ＦＬが延びている方向に沿った本体部２０の長さが折れ跡ＦＬよりも前側に向かうにつれて単調に減少する場合、本体部２０は、折れ跡ＦＬを基点に下着のような着用物品Ｓのクロッチに向かうにつれて狭くなる幅を有する。したがって、糞便失禁用の吸収性物品１０が下着のような着用物品Ｓからはみ出さないようにすることができる。
【００５３】
使用時に折れ跡ＦＬが幅方向Ｗに沿って配置される場合、前後方向Ｌにおける本体部２０の最長の長さは、折れ跡ＦＬの位置で幅方向Ｗに沿った本体部２０の長さの１．０倍以上、１．４倍以下であることが好ましい。また、前後方向Ｌにおける本体部２０の最長の長さは、折れ跡ＦＬの位置で幅方向Ｗに沿った本体部２０の長さの１．０倍以上、１．３倍以下であることがより好ましい。
【００５４】
前後方向Ｌにおける本体部２０の長さを短くすることで、糞便失禁用の吸収性物品に起因する使用者の違和感を軽減させることができる。また、本態様に係る糞便失禁用の吸収性物品１０は、本体部２０の折れ跡ＦＬが肛門に対向するように配置される。軽度の糞便失禁により本体部２０に糞便が付着した場合、糞便は、その中心からほぼ円形にわずかに広がることになる。したがって、軽度の糞便失禁用の吸収性物品１０では、前後方向Ｌにおける本体部２０の長さが短くても十分である。
【００５５】
使用時に折れ跡ＦＬが幅方向Ｗに沿って配置される場合、折れ跡ＦＬが延びている方向に沿った本体部２０の長さは、折れ跡ＦＬよりも後側に向かうにつれて単調に減少することが好ましい。この場合、本体部２０のサイズをできるだけ小さくすることができる。
【００５６】
なお、使用時に折れ跡ＦＬが幅方向Ｗに沿って配置される場合、折れ跡ＦＬは、幅方向における本体部２０の長さが最も長い最長部に配置されていてもよい。
【００５７】
使用者は、糞便失禁用の吸収性物品１０の使用後に、谷折りに形成された折れ跡ＦＬを基点に本体部２０を折り畳むことができる。これにより、本体部２０に付着した糞便、すなわち肛門から排出される多量の水分を含む糞便は本体部２０の内側に隠される。したがって、吸収性物品の廃棄時に糞便が手に付着することを抑制することができる。
【００５８】
また、本体部２０の表面は、使用時に使用者の肌に接する。この際に、本態様に係る糞便失禁用の吸収性物品１０は、本体部２０の折れ跡ＦＬが肛門に対向するように配置される。この折れ跡ＦＬは、本体部２０の表面から見て谷折りに形成されている。本体部２０の表面は、使用者の肌側に向けられる面であるので、本体部２０は、折れ跡ＦＬのところで、使用者の肌から離れる方向に曲がる。すなわち、折れ跡ＦＬのところで使用者の肌と本体部２０との間に隙間が生じる。この折れ跡ＦＬは本体部２０の一端から他端まで延びているので、使用者の肌と本体部２０との間の隙間は本体部２０の一端から他端まで延びることになる。この状態で使用者が放屁すると、屁は、使用者の肌と本体部２０との間の隙間を通って本体部２０の外側へ抜ける。このように、屁のような空気の逃げ道が形成されるため、使用者の放屁によって糞便失禁用の吸収性物品１０が位置ズレしたり吹き飛んだりすることを抑制することができる。
【００５９】
なお、本実施形態に係る吸収性物品１０は、折れ跡ＦＬが幅方向Ｗに沿って形成されていることが好ましい。言い換えると、吸収性物品１０は、本体部２０に形成された折れ跡ＦＬが着用者の臀裂が延びる方向に交差する方向に沿うように、着用物品Ｓに取り付けられることが好ましい。
【００６０】
折れ跡ＦＬは、折れ跡ＦＬが延びている方向と交差する交差方向（本実施形態では前後方向Ｌに相当する。以下、同様。）における本体部２０の中心よりも一方側にずれている。折れ跡ＦＬは、好ましくは、前後方向Ｌにおける本体部２０の中心を通る中心線Ｑよりも前側又は後側にずれており、より好ましくは後側にずれている。
【００６１】
前述したように、本態様に係る糞便失禁用の吸収性物品１０は、本体部２０の折れ跡ＦＬが肛門に対向するように配置される。したがって、糞便は、本体部２０の折れ跡ＦＬとその周りに付着する。この折れ跡ＦＬは交差方向における本体部２０の中心よりも一方側にずれているため、折れ跡ＦＬよりも遠い方の本体部２０の端部には、糞便が付着し難い。したがって、使用者は、糞便が付着した箇所よりもより遠くに位置する方の端部、すなわちより清潔な方の端部を摘まんで、吸収性物品１０を着用物品Ｓから取り外すことができる。
【００６２】
また、糞便失禁用の吸収性物品１０を着用物品Ｓから取り外した後に、使用者は、糞便を覆い隠すように折れ跡ＦＬを基点に吸収性物品１０を容易に折り畳むことができる。この際、折れ跡ＦＬから遠い方の吸収性物品１０の端部を手で摘まんだ状態で吸収性物品１０を折り畳むと、折れ跡ＦＬから近い方の吸収性物品１０の端部の表面が、折れ跡ＦＬから遠い方の端部を摘まむ手に当たり難い。このように、使用者は、なるべく糞便に触らないようにしつつ吸収性物品１０を廃棄することができる。
【００６３】
さらに、使用者は、洋式の便座のような台に座った状態で吸収性物品を着用物品Ｓから取りはずことが多い。この場合、着用物品Ｓを腰回りから足下付近まで降ろすと、着用物品Ｓのクロッチ部（股下部分）が水平方向に広がった状態になり易い（図７参照）。そのため、使用者は、着用物品Ｓのクロッチをより視認し易い。本態様に係る糞便失禁用の吸収性物品１０では、折れ跡ＦＬよりも前側の領域が着用物品Ｓのクロッチ又はクロッチに近い位置に配置される（図７参照）。したがって、使用者は、吸収性物品１０を着用物品Ｓから取り外す際に、本体部２０の前側の端部の方を掴み易い。このような事情を考慮すると、使用時に折れ跡ＦＬが幅方向Ｗに沿って配置される場合には、折れ跡ＦＬは、前後方向Ｌにおける本体部の中心よりも後側に位置することが好ましい。
【００６４】
使用者の屁の逃げ道を形成するという観点から、折れ跡ＦＬは、なるべく中心線Ｑの近くに配置されていることが好ましい。例えば、折れ跡ＦＬと中心線Ｑとの間の距離は、例えば１ｃｍ未満であってよい。
【００６５】
粘着材４２は、少なくとも折れ跡ＦＬと重なる領域に配置されていることが好ましい。本実施形態では、幅方向Ｗに間隔をあけて複数並んだ粘着材４２が、折れ跡ＦＬを跨がって前後方向Ｌに沿って延びている。この代わりに、前後方向Ｌに間隔をあけて複数並んだ粘着材４２が幅方向Ｗに沿って延びていてもよい。また、粘着材４２は、前後方向Ｌ及び幅方向Ｗから傾斜した方向に沿って延びていてもよい。これらの場合であっても、複数の粘着材４２のうちの少なくとも一部が折れ跡ＦＬと重なる領域に配置されていることが好ましい。
【００６６】
粘着材４２が折れ跡ＦＬと重なる領域に配置されていると、本体部２０の、折れ跡ＦＬが配置された領域の剛性が高くなる。これにより、本体部２０に折れ跡ＦＬをしっかりと付けることができ、使用者の肌と本体部２０との間の空気の逃げ道がよりしっかりと形成される。したがって、使用者の放屁によって糞便失禁用の吸収性物品１０が位置ズレしたり吹き飛んだりすることをより抑制することができる。
【００６７】
粘着材４２が延びている方向において、粘着材４２の一端部における粘着材４２の量は、粘着材４２の他端部における粘着材４２の量よりも少ないことが好ましい。粘着材４２の量が少ない方の端部は、着用物品Ｓに対する粘着力が低くなる。したがって、吸収性物品１０を着用物品Ｓから取り外す際に、粘着材４２の量が少ない方の端部から粘着材４２の量が多い方の端部に向かって本体部２０を着用物品から剥がすことによって、容易に本体部２０を取り外すことができる。
【００６８】
弾性部材５１は、折れ跡ＦＬが延びている方向と交差する交差方向に本体部２０を収縮させるものであり、折れ跡ＦＬを跨がって交差方向に延びている。本実施形態では、弾性部材５１は、幅方向Ｗにおける本体部２０の両側に設けられており、折れ跡ＦＬを跨がって前後方向Ｌに沿って延びている。
【００６９】
折れ跡ＦＬを跨がる弾性部材５１により本体部２０を収縮させることによって、本体部２０は、使用時に折れ跡ＦＬを基点に曲がった状態になり易い。これにより、使用者の肌と本体部２０との間の空気の逃げ道がよりしっかりと形成される。したがって、使用者の放屁によって糞便失禁用の吸収性物品１０が位置ズレしたり吹き飛んだりすることをより抑制することができる。
【００７０】
弾性部材５１は、約４８０〜９４０ｄｔｅｘの弾性糸によって構成され、１．５〜２．５倍に伸長された状態で本体部２０に取り付けられていることが好ましい。このように弾性部材５１の伸張率を１．５倍以上にすることで、本体部２０をしっかりと収縮させることができる。これにより、使用中に、十分な空気（屁）の逃げ道を形成することができるように、折れ跡ＦＬを基点に吸収性物品１０を曲げた状態にすることができる。また、弾性部材５１の伸張率を２．５倍以下にすることで、本体部２０が折り跡ＦＬのところで曲がり過ぎることを抑制することができる。
【００７１】
ここで、弾性部材５１は自然状態にあるときに、弾性部材５１の伸張率が１．０倍であるものとする。また、前述した「長さ」は、本体部２０を皺がなくなるまで伸ばした状態で測定された長さを意味する。
【００７２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００７３】
使用中の位置ずれを抑制しつつ、肌に与える刺激を低下することができる糞便失禁用の吸収性物品を提供することができる。
【符号の説明】
【００７４】
１０  糞便失禁用の吸収性物品
２０  本体部
４２  粘着材
５１  弾性部材
７０  セパレータ
ＦＬ  折れ跡
Ｌ    前後方向
Ｗ    幅方向
【図１】
2018183446.tif 000003
【図２】
2018183446.tif 000004
【図３】
2018183446.tif 000005
【図４】
2018183446.tif 000006
【図５】
2018183446.tif 000007
【図６】
2018183446.tif 000008
【図７】
2018183446.tif 000009
【図８】
2018183446.tif 000010